(57)【要約】  デジタルオンスクリーングラフィックを使用して視聴者に提示された販促メッセージに対する成果を決定するためのシステム及び方法を説明する。サービスプロバイダは、コンテンツ提示デバイス上に成果管理システムによって検出することができるデジタルオンスクリーングラフィックを提示することができる。デジタルオンスクリーングラフィックは、テレビジョンプログラムのような１次コンテンツ提供物に関連付けて表示することができる。成果管理システムは、デジタルオンスクリーングラフィックに露出されたものを含むコンテンツ提示デバイスをモニタすることができ、デジタルオンスクリーングラフィックの有効性を決定することができる。例えば、成果管理システムは、デジタルオンスクリーングラフィックに露出されたコンテンツ提示デバイスが続けてそこに販売促進されたコンテンツ提供物にアクセスしたか否かを決定することができる。【選択図】図１
2017525016.tif 000002
【特許請求の範囲】
【請求項１】
少なくとも１つの販促コンテンツ提供物を販売促進する少なくとも１つのデジタルオンスクリーングラフィックの少なくとも１つの成果を決定するためのシステムであって、
プロセッサと、
前記プロセッサと作動可能通信状態にある非一時的コンピュータ可読ストレージ媒体と、
を含み、
前記コンピュータ可読ストレージ媒体は、実行された時に、前記プロセッサをして、
前記少なくとも１つのデジタルオンスクリーングラフィックを通じて販売促進されている前記少なくとも１つの販促コンテンツ提供物を示す販促コンテンツ情報を含み、該少なくとも１つのデジタルオンスクリーングラフィックに関連付けられたグラフィック情報を受信させ、
少なくとも１つのコンテンツ提示デバイス上の前記少なくとも１つのデジタルオンスクリーングラフィックの提示を示すグラフィック提示情報を受信させ、
前記少なくとも１つのデジタルオンスクリーングラフィックの前記提示に続いて前記少なくとも１つのコンテンツ提示デバイスを通じて提示されたコンテンツ提供物を示す提示後情報を受信させ、
前記少なくとも１つの販促コンテンツ提供物が前記コンテンツ提供物に含まれるか否かを示す成果情報を前記提示後情報に基づいて発生させ、かつ
前記成果情報に基づいて前記少なくとも１つの成果を決定させる、
１又は２以上のプログラミング命令を含有する、
ことを特徴とするシステム。
【請求項２】
前記グラフィック情報は、デジタルオンスクリーングラフィックのタイプ、識別子、販売促進されているプログラム、販売促進されている製品、ネットワーク、１次コンテンツ提供物、提示日付及び時間のうちの少なくとも１つを含むことを特徴とする請求項１に記載のシステム。
【請求項３】
前記少なくとも１つのデジタルオンスクリーングラフィックは、製品又はサービスを販売促進するように構成されることを特徴とする請求項１に記載のシステム。
【請求項４】
前記グラフィック提示情報は、自動コンテンツ認識を通じて検出されることを特徴とする請求項１に記載のシステム。
【請求項５】
前記少なくとも１つのコンテンツ提示デバイスは、テレビジョン、スマートテレビジョン、スマートフォン、タブレットコンピュータデバイス、セットトップボックス、電子掲示板、電子読取デバイス、ゲームコンソール、携帯式ゲームデバイス、コンピュータデバイス、及びファブレットのうちの少なくとも１つとして構成されることを特徴とする請求項１に記載のシステム。
【請求項６】
前記成果情報は、前記少なくとも１つの販促コンテンツ提供物の再生の増加時に前記少なくとも１つのデジタルオンスクリーングラフィックの有効性を示すことを特徴とする請求項１に記載のシステム。
【請求項７】
前記提示後情報は、前記少なくとも１つのデジタルオンスクリーングラフィックの前記提示に続く前記少なくとも１つのコンテンツ提示デバイスの活動を含み、該活動は、コンテンツ消費の持続時間、コンテンツ消費の頻度、コンテンツ消費のジャンル、他のアクセスされたデジタルオンスクリーン販促グラフィックのうちの少なくとも１つを含むことを特徴とする請求項１に記載のシステム。
【請求項８】
少なくとも１つの販促コンテンツ提供物を販売促進する少なくとも１つのデジタルオンスクリーングラフィックの少なくとも１つの成果を決定するコンピュータ実装方法であって、
プロセッサにより、
前記少なくとも１つのデジタルオンスクリーングラフィックを通じて販売促進されている前記少なくとも１つの販促コンテンツ提供物を示す販促コンテンツ情報を含み、該少なくとも１つのデジタルオンスクリーングラフィックに関連付けられたグラフィック情報を受信する段階と、
少なくとも１つのコンテンツ提示デバイス上の前記少なくとも１つのデジタルオンスクリーングラフィックの提示を示すグラフィック提示情報を受信する段階と、
前記少なくとも１つのデジタルオンスクリーングラフィックの前記提示に続いて前記少なくとも１つのコンテンツ提示デバイスを通じて提示されたコンテンツ提供物を示す提示後情報を受信する段階と、
前記少なくとも１つの販促コンテンツ提供物が前記コンテンツ提供物に含まれるか否かを示す成果情報を前記提示後情報に基づいて発生させる段階と、
前記成果情報に基づいて前記少なくとも１つの成果を決定する段階と、
を含むことを特徴とする方法。
【請求項９】
前記グラフィック情報は、デジタルオンスクリーングラフィックのタイプ、識別子、販売促進されているプログラム、販売促進されている製品、ネットワーク、１次コンテンツ提供物、提示日付及び時間のうちの少なくとも１つを含むことを特徴とする請求項８に記載の方法。
【請求項１０】
前記少なくとも１つのデジタルオンスクリーングラフィックは、製品又はサービスを販売促進するように構成されることを特徴とする請求項８に記載の方法。
【請求項１１】
前記グラフィック提示情報は、自動コンテンツ認識を通じて検出されることを特徴とする請求項８に記載の方法。
【請求項１２】
前記少なくとも１つのコンテンツ提示デバイスは、テレビジョン、スマートテレビジョン、スマートフォン、タブレットコンピュータデバイス、セットトップボックス、電子掲示板、電子読取デバイス、ゲームコンソール、携帯式ゲームデバイス、コンピュータデバイス、及びファブレットのうちの少なくとも１つとして構成されることを特徴とする請求項８に記載の方法。
【請求項１３】
前記成果情報は、前記少なくとも１つの販促コンテンツ提供物の再生の増加時に前記少なくとも１つのデジタルオンスクリーングラフィックの有効性を示すことを特徴とする請求項８に記載の方法。
【請求項１４】
前記提示後情報は、前記少なくとも１つのデジタルオンスクリーングラフィックの前記提示に続く前記少なくとも１つのコンテンツ提示デバイスの活動を含み、該活動は、コンテンツ消費の持続時間、コンテンツ消費の頻度、コンテンツ消費のジャンル、他のアクセスされたデジタルオンスクリーン販促グラフィックのうちの少なくとも１つを含むことを特徴とする請求項８に記載の方法。
【請求項１５】
少なくとも１つの販促コンテンツ提供物を販売促進する少なくとも１つのデジタルオンスクリーングラフィックの少なくとも１つの成果を決定するように構成されたコンピュータ可読プログラムコードを有するコンピュータ可読ストレージ媒体であって、
前記コンピュータ可読プログラムコードは、
前記少なくとも１つのデジタルオンスクリーングラフィックを通じて販売促進されている前記少なくとも１つの販促コンテンツ提供物を示す販促コンテンツ情報を含み、該少なくとも１つのデジタルオンスクリーングラフィックに関連付けられたグラフィック情報を受信するように構成されたコンピュータ可読プログラムコードと、
少なくとも１つのコンテンツ提示デバイス上の前記少なくとも１つのデジタルオンスクリーングラフィックの提示を示すグラフィック提示情報を受信するように構成されたコンピュータ可読プログラムコードと、
前記少なくとも１つのデジタルオンスクリーングラフィックの前記提示に続いて前記少なくとも１つのコンテンツ提示デバイスを通じて提示されたコンテンツ提供物を示す提示後情報を受信するように構成されたコンピュータ可読プログラムコードと、
前記少なくとも１つの販促コンテンツ提供物が前記コンテンツ提供物に含まれるか否かを示す成果情報を前記提示後情報に基づいて発生させるように構成されたコンピュータ可読プログラムコードと、
前記成果情報に基づいて前記少なくとも１つの成果を決定するように構成されたコンピュータ可読プログラムコードと、
を含む、
ことを特徴とするコンピュータ可読ストレージ媒体。
【請求項１６】
前記グラフィック情報は、デジタルオンスクリーングラフィックのタイプ、識別子、販売促進されているプログラム、販売促進されている製品、ネットワーク、１次コンテンツ提供物、提示日付及び時間のうちの少なくとも１つを含むことを特徴とする請求項１５に記載のコンピュータ可読ストレージ媒体。
【請求項１７】
前記少なくとも１つのデジタルオンスクリーングラフィックは、製品又はサービスを販売促進するように構成されることを特徴とする請求項８に記載のコンピュータ可読ストレージ媒体。
【請求項１８】
前記グラフィック提示情報は、自動コンテンツ認識を通じて検出されることを特徴とする請求項１５に記載のコンピュータ可読ストレージ媒体。
【請求項１９】
前記成果情報は、前記少なくとも１つの販促コンテンツ提供物の再生の増加時に前記少なくとも１つのデジタルオンスクリーングラフィックの有効性を示すことを特徴とする請求項１５に記載のコンピュータ可読ストレージ媒体。
【請求項２０】
前記提示後情報は、前記少なくとも１つのデジタルオンスクリーングラフィックの前記提示に続く前記少なくとも１つのコンテンツ提示デバイスの活動を含み、該活動は、コンテンツ消費の持続時間、コンテンツ消費の頻度、コンテンツ消費のジャンル、他のアクセスされたデジタルオンスクリーン販促グラフィックのうちの少なくとも１つを含むことを特徴とする請求項８に記載のコンピュータ可読ストレージ媒体。
【発明の詳細な説明】
【技術分野】
【０００１】
〔関連出願への相互参照〕
本出願は、本明細書に完全に示されるかのようにその内容が全体的に引用によって組み込まれる「ＴＶプログラム販促製品の有効性を測定する方法及びシステム」という名称で２０１４年６月５日出願の米国仮特許出願第６２／００８，０５６号の利益を主張するものである。
【０００２】
本発明は、一般的に、消費者へのコンテンツの配信の有効性を決定することに関し、より具体的には、テレビジョンのようなコンテンツ提示デバイス上のデジタルオンスクリーングラフィクを使用して提示される広告又は他の販売促進の有効性を決定することに関する。
【背景技術】
【０００３】
デジタルオンスクリーングラフィックの使用は、メディアネットワーク経営者による広範囲な採用及び使用を体験している。典型的なデジタルオンスクリーングラフィックは、テレビジョンプログラムのような主コンテンツ提供物に埋め込まれるか又はその上に重ねられたデジタルグラフィック要素（一般的に「バグ」と呼ぶ）を含む。最初は、デジタルオンスクリーングラフィックは、特定のネットワークを識別するためにブロードキャストテレビジョンネットワークプロバイダによって使用された。例えば、ブロードキャストテレビジョンネットワークは、テレビジョンスクリーンの右下コーナ上に表示される部分のような主コンテンツ提供物の一部分の上に重ねられたネットワークのシンボル又は名称の形態のデジタルオンスクリーングラフィックを含むことができる。最終的に、デジタルオンスクリーングラフィックは、販促コンテンツ、動画グラフィック、及びビデオを含むように進化した。
【０００４】
一般的に、そのようなデジタルオンスクリーングラフィックは、ネットワーク及びそれらのプログラミングの銘柄認識の改善を目的とするある形式の恒久的視覚識別を表すものである。デジタルオンスクリーングラフィックは、一般的にプログラミングの関連内で表示され、同じくコンテンツがパーソナルビデオレコーダ（例えば、ＰＶＲ又はＤＶＲ）を使用して記録されたコンテンツのように時間シフトベースで閲覧される時でさえもプログラミング及び販促プログラムのソースを識別するように作動する。
【発明の概要】
【発明が解決しようとする課題】
【０００５】
コンテンツプロバイダ及びメディアネットワーク経営者は、利用可能なプログラミングを販売促進するように宣伝する広告及びプログラム販売促進を提示するためにデジタルオンスクリーングラフィックを使用する。プログラム販促広告主のような広告主にとっての課題は、広告の有効性を測定することである。従来の技術によると、有効性は、サンプリングデータ及びテストグループに基づいてのみ決定することができる。これは、非効率的かつエラー脆弱処理である。従って、プログラム販促広告主は、コンテンツ視聴者に対する自らの広告の有効性を正しく実感することができない。このタイプの環境では、コンテンツプロバイダ及びメディアネットワーク経営者は、デジタルオンスクリーングラフィックを使用して実施された成功した広告及び販売促進努力を利用することができず、又は販促プログラムを見ること又は製品を購入することなどを視聴者に促すことのない有効性のないデジタルオンスクリーングラフィック広告を避けることができない。従って、取り分け、どの広告がどの視聴者によって見られるかを捉え、この情報をどのプログラムが同じ視聴者によって見られるか及び／又はどの製品が消費者によって購入されるかということと比較することができる自動化された効率的な方式でデジタルオンスクリーングラフィックベースのプログラム販売促進又は他のタイプの広告キャンペーンの成果を決定する方法を提供することは有益であると考えられる。
【課題を解決するための手段】
【０００６】
本発明の開示は、説明する特定のシステム、デバイス、及び方法にはそれらが変更される場合があるので制限されない。本説明に使用する用語は、特定のバージョン又は実施形態を説明するだけの目的のものであり、その範囲を制限するように意図していない。
【０００７】
実施形態において、少なくとも１つの販促コンテンツ提供物を販売促進する少なくとも１つのデジタルオンスクリーングラフィックの少なくとも１つの成果を決定するためのシステムは、プロセッサと、プロセッサと作動可能通信状態にある非一時的コンピュータ可読ストレージ媒体とを含むことができる。コンピュータ可読ストレージ媒体は、実行された時にプロセッサをして、少なくとも１つのデジタルオンスクリーングラフィックに関連付けられて、少なくとも１つのデジタルオンスクリーングラフィックを通じて販売促進されている少なくとも１つの販促コンテンツ提供物を示す販促コンテンツ情報を含むグラフィック情報を受信させ、少なくとも１つのコンテンツ提示デバイス上の少なくとも１つのデジタルオンスクリーングラフィックの提示を示すグラフィック提示情報を受信させ、少なくとも１つのデジタルオンスクリーングラフィックの提示に続いて少なくとも１つのコンテンツ提示デバイスを通じて提示されたコンテンツ提供物を示す提示後情報を受信させ、少なくとも１つの販促コンテンツ提供物がコンテンツ提供物に含まれるか否かを示す成果情報を提示後情報に基づいて発生させ、かつ成果情報に基づいて少なくとも１つの成果を決定させる１又は２以上のプログラミング命令を含有することができる。
【０００８】
実施形態において、少なくとも１つの販促コンテンツ提供物を販売促進する少なくとも１つのデジタルオンスクリーングラフィックの少なくとも１つの成果を決定するコンピュータ実装方法は、プロセッサにより、少なくとも１つのデジタルオンスクリーングラフィックを通じて販売促進されている少なくとも１つの販促コンテンツ提供物を示す販促コンテンツ情報を含んで少なくとも１つのデジタルオンスクリーングラフィックに関連付けられたグラフィック情報を受信する段階と、少なくとも１つのコンテンツ提示デバイス上の少なくとも１つのデジタルオンスクリーングラフィックの提示を示すグラフィック提示情報を受信する段階と、少なくとも１つのデジタルオンスクリーングラフィックの提示に続いて少なくとも１つのコンテンツ提示デバイスを通じて提示されたコンテンツ提供物を示す提示後情報を受信する段階と、少なくとも１つの販促コンテンツ提供物がコンテンツ提供物に含まれるか否かを示す成果情報を提示後情報に基づいて発生させる段階と、成果情報に基づいて少なくとも１つの成果を決定する段階とを含むことができる。
【０００９】
実施形態において、少なくとも１つの販促コンテンツ提供物を販売促進する少なくとも１つのデジタルオンスクリーングラフィックの少なくとも１つの成果を決定するように構成されたコンピュータ可読プログラムコードを有するコンピュータ可読ストレージ媒体は、少なくとも１つのデジタルオンスクリーングラフィックを通じて販売促進されている少なくとも１つの販促コンテンツ提供物を示す販促コンテンツ情報を含んで少なくとも１つのデジタルオンスクリーングラフィックに関連付けられたグラフィック情報を受信するように構成されたコンピュータ可読プログラムコードと、少なくとも１つのコンテンツデバイス上の少なくとも１つのデジタルオンスクリーングラフィックの提示を示すグラフィック提示情報を受信するように構成されたコンピュータ可読プログラムコードと、少なくとも１つのデジタルオンスクリーングラフィックの提示に続いて少なくとも１つのコンテンツ提示デバイスを通じて提示されたコンテンツ提供物を示す提示後情報を受信するように構成されたコンピュータ可読プログラムコードと、少なくとも１つの販促コンテンツ提供物がコンテンツ提供物に含まれるか否かを示す成果情報を提示後情報に基づいて発生させるように構成されたコンピュータ可読プログラムコードと、成果情報に基づいて少なくとも１つの成果を決定するように構成されたコンピュータ可読プログラムコードとを含むことができる。
【図面の簡単な説明】
【００１０】
【図１】一部の実施形態による例示的成果管理システムを示す図である。
【図２】一部の実施形態によるコンテンツ提示デバイスで販促グラフィックを提示する段階を示す流れ図である。
【図３】一部の実施形態による販促グラフィックを提示する例示的方法を示す流れ図である。
【図４】実施形態によるプログラム命令を含有又は実施するのに使用することができる例示的内部ハードウエアを示すブロック図である。
【発明を実施するための形態】
【００１１】
この開示では、要素又は構成要素が、列挙された要素又は構成要素のリストに含まれる及び／又は列挙された要素又は構成要素のリストから選択されると考えられる場合に、要素又は構成要素は、列挙された要素又は構成要素のいずれか１つであり、列挙された要素又は構成要素の２又は３以上から構成される群から選択されることを理解しなければならない。更に、本明細書に説明する構成、装置、システム、及び／又は方法の要素及び／又は特徴は、本明細書において明示的又は示唆的か否かにかかわらず、本教示の精神及び範囲から逸脱することなく様々な方法で結合することができることを理解しなければならない。
【００１２】
「ｉｎｃｌｕｄｅ」、「ｉｎｃｌｕｄｅｓ」、「ｉｎｃｌｕｄｉｎｇ」、「ｈａｖｅ」、「ｈａｓ」、又は「ｈａｖｉｎｇ」という語の使用は、一般的に、他に明確に示されない限り制約のない及び非制限的ものとして理解しなければならない。本文書に使用する「ｃｏｍｐｒｉｓｉｎｇ」は、「ｉｎｃｌｕｄｉｎｇ、ｂｕｔ  ｎｏｔ  ｌｉｍｉｔｅｄ  ｔｏ」を意味する。
【００１３】
本明細書における単数の使用は、他に明確に示されない限り複数を含む（逆も同様である）。更に、単数形「ａ」、「ａｎ」、及び「ｔｈｅ」は、文脈が他に明確に示さない限り複数形を含む。これに加えて、「約」という語が量的値の前に使用されている場合に、本教示は、他に明確に示されない限り、それ自体の特定の量的値を含む。
【００１４】
段階の順序又はある一定のアクションを実行するための順序は、本教示が作動可能に留まる限り重要ではないことを理解しなければならない。更に、２又は３以上の段階又はアクションは、同時に実施することができる。
【００１５】
本説明に使用する用語は、特定のバージョン又は実施形態を説明するだけの目的であり、その範囲を制限するように意図していない。
【００１６】
説明する技術は、一般的に、デジタルオンスクリーングラフィックを使用して視聴者に提示された販促メッセージに対する成果を決定するためのシステム、方法、及びコンピュータ可読媒体に関する。デジタルオンスクリーングラフィックは、一般的に、１次コンテンツ提供物に埋め込まれる、重ねられる、又は他に一緒に表示することができるあらゆるタイプのグラフィックオブジェクトを含むことができる。例えば、デジタルオンスクリーングラフィックは、放送されるテレビジョンプログラム（すなわち、１次コンテンツ提供物）の一部分の上に重ねられた放送ネットワークのシンボル（一般的に「バグ」と呼ぶ）を含むことができる。別の例においては、デジタルオンスクリーングラフィックは、テレビジョンプログラム、映画、又は他のコンテンツ提供物の提示中にテレビジョンスクリーンの一部分の上に表示されるバナーを含むことができる。デジタルオンスクリーングラフィックは、以下に限定されるものではないが、ビデオ、動画、テキスト、写真、音声、及びこれらのあらゆる組合せを含む様々な形態のコンテンツ（又は「グラフィック要素」）を含むことができる。デジタルオンスクリーングラフィックは、当業技術の業者に公知の技術を使用して１次コンテンツ提供物に組み込む、上に重ねる、中に表示する、又は他に組み合わせて提示することができる。例えば、デジタルオンスクリーングラフィックは、１次コンテンツ提供物のためのテレビジョンネットワークプレイアウトストリームの一部として形成することができる。
【００１７】
販促メッセージは、一般的に、製品、サービス、又はコンテンツなどを販売促進する広告又は他のマーケティングメッセージを含むことができる。一部の実施形態において、販促メッセージは、テレビジョンプログラム、ウェブサイト、ラジオ局のような１又は２以上のコンテンツ構成要素を販売促進するように構成された広告（「コンテンツ販促メッセージ」）とすることができる。一部の実施形態において、１又は２以上の販促メッセージは、デジタルオンスクリーングラフィックを使用して提示することができる（「販促グラフィック」）。
【００１８】
一部の実施形態において、販促グラフィックと、製品、サービス、又はコンテンツのような関連の販売促進の内容（「販促内容」）との視聴者対話をモニタするように販促成果管理システム（「成果管理システム」）を構成することができる。一部の実施形態において、販促グラフィックは、関連の１又は２以上の特徴に基づいて利用可能なコンテンツ提示デバイスの１又は２以上のセグメントを具体的に標的とした標的販促グラフィックを含むことができる。
【００１９】
成果管理システムは、取りわけ、販促グラフィックの成果を決定する及び／又はそれに関する情報を処理及び／又はレポートするために本明細書における一部の実施形態によって説明する様々な機能を実行するように構成された販促成果管理アプリケーション（「成果管理アプリケーション」）を実行するように構成することができる。一部の実施形態において、管理アプリケーションは、販促グラフィックを通じて販売促進されている販促内容に関する情報を含む販促グラフィックに関連付けられたグラフィック情報を発生、受信、又は他にそれにアクセス可能である。一部の実施形態において、管理アプリケーションは、販促グラフィックがコンテンツ提示デバイスに提示されているか否かを示すグラフィック提示情報、並びに提示の時間、１次コンテンツ提供物、消費された他のコンテンツ提供物のようなあらゆる関連の関連情報を発生、受信、又は他にそれにアクセス可能である。グラフィック提示情報は、販促グラフィック及び／又は１次コンテンツ提供物の提示に関する様々な記録要素を有するインプレッション記録を含むことができる。記録要素の例示的かつ制限されない例は、デバイス識別子、日付及び時間指示子、１次コンテンツ提供物のコンテンツ識別子、コンテンツ提示デバイスが属するネットワークを示すように構成されたネットワーク要素、コンテンツ提示デバイス及び／又はメディアネットワークアカウントに関連付けられた所有者又は加入者などを示すように構成された所有者要素、メタデータ、及び本明細書で提供される実施形態に従って使用することができるあらゆる他のタイプの記録要素を含む。
【００２０】
一部の実施形態において、管理アプリケーションは、販促グラフィックの提示（「露出」）に続いてコンテンツ提示デバイスに提示されているコンテンツ提供物を示す提示後情報を発生、受信、又は他にそれにアクセス可能である。一部の実施形態において、提示後情報を使用して、視聴者がコンテンツ提示デバイスによってアクセスされた販促グラフィックの販促内容であったコンテンツ提供物を見た又は他に対話したか（例えば、ＤＶＲを使用して記録し、同じか又は異なるデバイスでＶＯＤを通じてストリーミングしたか）否かを示す成果情報を発生させることができる。
【００２１】
一部の実施形態において、管理アプリケーションは、視聴者及び／又は人口動態情報、コンテンツ対話プリファレンス及び／又は履歴（すなわち、テレビジョンコンテンツ視聴履歴）のような視聴者に関するデータを含む視聴者のコンテンツ提示デバイスに関連付けられた標的情報を発生及び／又は受信することができる。一部の実施形態において、グラフィック管理アプリケーションは、サービスプロバイダ及び／又はコンテンツ発信元に関連付けられた成果管理システム、コンテンツ提示デバイス、及び／又はコンピュータデバイスによって実行することができる。
【００２２】
広告主及び広告コンテンツが本発明の開示の例に使用される場合があるが、実施形態に従って作動させることができるコンテンツのいずれのタイプ及び形態も本明細書において考えられているので、実施形態がこれに制限されることはない。これに加えて、コンテンツ販促内容が本明細書の例示的実施例として使用されるが、一部の実施形態に従って使用することができる製品又はサービスのようないずれの販促内容も本明細書で考えられているので、実施形態がこれに制限されることはない。
【００２３】
コンテンツは、一般的に、媒体を通じて表現することができるあらゆるタイプのデータ、情報、メディア、グラフィック、又は可視要素などを含むことができる。例示的媒体は、テレビジョン、及び放送、ケーブル、衛星、及び／又はネットワーク（インターネットなど）又はそのストリーミング形態のような可視媒体を含むことができる。コンテンツの例は、以下に限定されるものではないが、ビデオ、音声、映画、ビデオゲーム、テレビジョン及びラジオプログラム、コマーシャル、ウェブサイト、画像、写真、テキスト、電子又はデジタル文書、情報フィード、ストリーミングメディア、ソーシャルメディア、ソーシャルネットワーク、及び／又はその組合せを含むことができる。一部の実施形態において、コンテンツは、以下に限定されるものではないが、ウェブサイト広告、インターネット広告、検索エンジンマーケティング（ＳＥＭ）、ソーシャルメディアマーケティング、及び移動デバイス広告を含むテレビジョン広告又はオンライン広告のような広告を含むことができる。デジタルオンスクリーングラフィックは、コンテンツを含むことができる。例えば、デジタルオンスクリーングラフィックは、グラフィック要素（すなわち、写真、画像）、ビデオ、又はテキストなどから作ることができる。一般的に、デジタルオンスクリーングラフィックは、１次コンテンツ提供物と共に提示されている特定の形態のコンテンツを含むことができる。
【００２４】
コンテンツは、デジタルオンスクリーングラフィックあり又はなしでサービスプロバイダによって様々なコンテンツ提示デバイスに配信又は放送することができる。サービスプロバイダは、一般的に、コンテンツアセットをコンテンツ提示デバイスに提供することができるあらゆるタイプのエンティティ又は構造を含むことができる。例えば、サービスプロバイダは、メディアネットワーク経営者、テレビジョン放送ネットワーク、ケーブルテレビジョンネットワーク、衛星テレビジョンネットワーク、インターネットサービスプロバイダ（ＩＳＰ）、コンピュータデバイス広告ネットワーク、メディア配信ネットワーク、クラウドコンピュータネットワーク、ローカルエリアネットワーク（ＬＡＮ）、ワイドエリアネットワーク（ＷＡＮ）、地上波ネットワーク、移動体ネットワーク、及び／又はこれらのあらゆる組合せを含むことができる。テレビジョンネットワークは、標準精細度（ＳＤ）及び高精細度（ＨＤ）ネットワークを含むことができる。
【００２５】
一部の実施形態において、成果管理システムは、物理的デバイスプラットフォーム、ネットワーク、及び／又はサービスプロバイダにわたって同時に作動するように構成することができる。例えば、コンテンツ及びデジタルオンスクリーングラフィックは、ケーブルテレビジョンシステムを通じたセットトップボックス、インターネットサービスプロバイダネットワーク上で標準ネットワーク通信プルトコル（例えば、イーサネット又はＷｉ−Ｆｉ）を使用した移動コンピュータデバイス、及び／又は標準通信プロトコル（例えば、３Ｇ、４Ｇ、ＬＴＥなど）を通じたスマートフォンデバイス又は他の移動コンピュータデバイスに関連付けられた成果管理システムによって管理することができる。
【００２６】
コンテンツ提示デバイスは、一般的に、視聴者又は他のタイプのコンテンツ消費者にコンテンツを提示することができる当業者に現在公知であるか又は将来開発されるあらゆるデバイスを含むことができる。コンテンツ提示デバイスの非制限的例は、テレビジョン、スマートテレビジョン、ラップトップ、携帯情報端末（ＰＤＡ）、タブレットコンピュータデバイス、スマートフォン、パーソナルコンピュータ（ＰＣ）、ディスプレイモニタ又は端末、ラジオ、オーディオデバイス、スピーカ、ヘッドフォン、触覚デバイス、電子読取デバイス（「Ｅリーダ」）、発光ダイオード（ＬＥＤ）デバイス、有機ＬＥＤ（ＯＬＥＤ）デバイス、ウェアラブルスクリーン、セットトップボックス、衛星受信機、ビデオオンデマンド（ＶＯＤ）受信機、コンテンツ受信機（米国カリフォルニア州クパチーノ所在のＡｐｐｌｅインコーポレーテッド製造のＡｐｐｌｅＴＶ（登録商標）、米国カリフォルニア州サラトガ所在のＲｏｋｕインコーポレーテッド製造のＲｏｋｕ（登録商標））、デジタルビデオレコーダ（ＤＶＲ）、パーソナルビデオレコーダ（ＰＶＲ）、ハードドライブ、フラッシュドライブ、ストレージサーバ、デジタルビデオディスク（ＤＶＤ）デバイス、又はＢｌｕｅ−ｒａｙ（登録商標）デバイスなどを含む。受信者、視聴者、又は視聴者メンバなどは、一般的に、コンテンツ提示デバイスを使用してコンテンツを閲覧する、見る、聞く、消費する、記録する、ストリーミングする、又は他に対話する個人を含むことができる。
【００２７】
コンテンツ発信元は、コンテンツ及び／又はデジタルオンスクリーングラフィックを提供することができるあらゆるエンティティを含むことができる。コンテンツ発信元は、広告主、広告代理人、テレビジョンスタジオ又は放送ネットワーク、ラジオチャネル、ウェブサイトプロバイダ、ＶＯＤサービス、又はコンテンツ格納及び配信サービスなどのような当業者に公知のあらゆるタイプのコンテンツ開発者を含むことができる。
【００２８】
一部の実施形態において、コンテンツ発信元は、広告スケジュール又はキャンペーン、キャンペーン標的、及び／又はキャンペーンの制約に関するキャンペーン情報を発生させることができる。キャンペーンは、特定の製品、サービス、コンテンツ提供物に関連し、及び／又は一般的に共通の発想又はテーマによって関連付けられる１又は２以上のコンテンツ提示（例えば、「クリエイティブ」）を一般的に指すことができる。例えば、広告主は、指定された期間にわたる視聴率の標的レベルを有する標的視聴者を定義することができる。これに加えて、広告主は、広告主の広告コンテンツアセットが配信される（又は「プレイアウトされる」）場所又は時間に対する制約を設けることができる。例えば、広告主は、子供のネットワーク、夜通し、又は特定のマーケット又はゾーンで広告が流れることを望まないことがある。広告主は、外部広告主とすることができ、又はプログラミング又は他の製品を販売促進するサービスプロバイダとすることができる。特定の期間（例えば、２週間継続して行われるキャンペーンセット）に対する特定の視聴者に対するインプレッションの標的数（例えば、１８歳から４９歳までの大人の１，０００，０００インプレッション）のような当業技術で公知の様々なタイプの目標を使用して目標を定義することができる。目標は、キャンペーンの進行を通じて目標を調節するために収集された時に使用することができる測定可能な視聴率メトリックの観点から明記することができる。２週間のキャンペーンにわたって１，０００，０００インプレッション標的を有する例では、第１週後に２００，０００インプレッションが配信されている場合に、第２の週の目標は、８００，０００インプレッションになる。
【００２９】
一部の実施形態において、デバイス上のコンテンツがライブで閲覧されているか又は時間シフトモード（ＶＯＤ又はＰＶＲを通じて閲覧する場合）であるかに関係なく、成果管理システムは、ネットワークプログラミングビデオコンテンツ内の販促メッセージのデバイスレベルの露出の検出に基づいてデジタルオンスクリーングラフィックの有効性の測定を可能にすることができる。特定のプログラムを販売促進するのに使用されるデジタルオンスクリーングラフィック、テレビジョンネットワークによって使用される統合プレイアウトシステムから得られたログファイルに関する必要な情報の取り込みにアクセスして、デジタルオンスクリーングラフィックのタイプ、デジタルオンスクリーングラフィックの名称又は他の識別子、販売促進される関連のプログラム、デジタルオンスクリーングラフィックがプレイアウトのために埋め込まれたネットワーク及びプログラム、又はデジタルオンスクリーングラフィックの使用に関連付けられたプレイアウト日付及び時間などを示すメタデータを含む関連のグラフィック情報を取得するために構文解析することができる。一部の実施形態において、販売促進されるプログラムのジャンル、デジタルオンスクリーングラフィックがプレイアウトに埋め込まれたプログラムのジャンル、又は販促グラフィックに関連付けられた１次コンテンツ提供物に関する他の情報を含むことができるグラフィック情報又は他のメタデータには、プレイアウトシステム又はトリビューンメディアサービス（ＴＭＳ）のような第三者プログラミングデータソースからアクセス可能である。
【００３０】
一部の実施形態において、デジタルオンスクリーングラフィックのデバイスレベルの露出の検出は、基本プログラムの自動コンテンツ認識及びあらゆる個別デバイスにおける関連のプログラムタイミングに対するデジタルオンスクリーングラフィックのタイミングを成果管理システムが使用することを含むことができる。成果管理システムは、デジタルオンスクリーングラフィックの時間に基本プログラムを提示している検出されたコンテンツ提示デバイスを追跡することができ、例えば、グラフィック提示情報として格納又は使用することができる。成果管理システムはまた、販促プログラムをどのデバイスが見たかを決定するために販促プログラムのデバイスレベルの自動コンテンツ認識（ＡＣＲ）を使用することができる。
【００３１】
一部の実施形態において、成果管理システムは、１又は２以上のデータベースクエリの結果、データ適合化及び分類手順、並びに様々な分析計算を実行、発生、受信、又は他にアクセスして、以下に限定されるものではないが、いずれかの与えられた販促グラフィック及び／又は同じプログラム販売促進キャンペーンに関連付けられた販促グラフィックに露出されたデバイスの数、各デバイスがいずれかの与えられたプログラム販売促進キャンペーンに関連付けられた販促グラフィックに露出された回数、及び関連のタイミングを含む成果情報を発生させることができる。一部の実施形態において、管理システムは、販促プログラムの視聴を検出したデバイスが、関連のプログラム販売促進キャンペーンの販促グラフィックに露出された割合、様々なタイプの部分集合に対する対応するプログラム視聴変換レート、及び／又は各プログラム販売促進キャンペーンのデジタルオンスクリーングラフィックへの露出の頻度及びタイミングなどを決定する一連の分析計算の結果を実行及び／又は受信することができる。一部の実施形態において、管理システムはまた、デジタルオンスクリーングラフィックへの露出のどの組合せが最も効率的なプログラム視聴変換レートを発生したかを細かく理解することを可能にするために、機械学習又は属性モデリングのような高度な形態の分析手順の結果を実行及び／又はそれにアクセス可能である。一部の実施形態において、管理システムは、プログラム販促広告への露出に関するデバイスレベルの情報をデジタルオンスクリーングラフィックのデバイスレベルの露出に結合して、販促プログラム視聴における関連の影響を洞察することができる。
【００３２】
一部の実施形態において、管理システムは、単独で、又は以下に限定されるものではないが、オンスクリーン、クロスチャネル、支払済みプログラム販促広告、デジタル、ソーシャルなどの形態の関連のプログラム販売促進を含む他の形態のプログラム販売促進の使用により、デジタルオンスクリーングラフィックを使用する相対的な有効性に関する適時情報を自動的に配信してプログラム視聴を推進するシステムを含むことができ、及び／又はこのシステム内に組み込むことができる。
【００３３】
一部の実施形態において、例えば、視聴がデジタルオンスクリーングラフィックの露出を検出する機能に対応するデバイスで行われる時に、以下に限定されるものではないが、リニアテレビジョン視聴における露出、ＶＤＲ及びＰＶＲを使用した時の時間シフトテレビジョン視聴、並びにオンラインビデオを含むプログラム視聴を販売促進するのに使用される様々なデジタルオンスクリーングラフィックと共に管理システムを使用することができる。本明細書における一部の実施形態を説明するために、デジタルオンスクリーングラフィックのリニアテレビジョン露出は、販促グラフィック露出の１つの非制限的実施例として使用することができる。
【００３４】
一部の実施形態において、販促グラフィックの提示は、コンテンツ提示デバイスの固有の識別子（「デバイス識別子」）に関連付けられたデバイスレベルの視聴データの使用を含むことができる。一部の実施形態において、デバイス識別子は、ハッシュ、暗号化、又は他に処理済みコンテンツ処理デバイス識別子を含むことができる。この方式で、成果管理システムは、例えば、適正な消費者プライバシーコンプライアンスを保証するために、いずれかの個別に識別可能な情報（ＰＩＩ）を使用する必要なく、視聴者を標的する及び／又は視聴者を受け入れることができる。デバイスレベルの視聴データを使用して、タイムフレーム内のプログラム及びジャンルの前の視聴者、又は特定のプログラム又はジャンルの現在の視聴者のような様々な特徴に従ってコンテンツ提示デバイスを識別及び／又は分類することができる。例えば、スポーツに関連したプログラミングを受信しているテレビジョンは、スポーツに関心を有するものとして分類することができる。別の例においては、アクション映画に関するオンデマンドビデオコンテンツをストリーミングするのに使用された移動コンピュータデバイスは、アクション映画に関心を有するものとして分類することができる。一部の実施形態において、デバイスレベル視聴データは、サービスプロバイダ加入者アカウント又はプロファイル情報に対応し、視聴者（匿名識別を含む）又はアカウントなどを識別することができる。
【００３５】
一部の実施形態において、販促グラフィックの提示に関連付けられた１次コンテンツ提供物のデバイスレベルの露出の検出は、コンテンツ提示デバイスによって視聴されたコンテンツの決定及びこの情報とデジタルオンスクリーングラフィックに関連付けられたコンテンツとの適合化を含むことができる。一部の実施形態において、１次コンテンツ提供物のデバイスレベルの露出の検出は、基本プログラムの自動コンテンツ認識（ＡＣＲ）及びコンテンツ提示デバイスの関連のプログラムタイミングに対する販促グラフィックの関連の予想タイミングを使用して実施することができる。一部の実施形態において、デジタルオンスクリーングラフィックの各提示に関連付けられた予想タイミングは、デジタルオンスクリーングラフィックの提示に関するサービスプロバイダによって提供されるグラフィック提示情報から取得することができる。例えば、グラフィック提示情報は、テレビジョンネットワークプレイアウトストリームの一部を形成するために合成される全ての個々のビデオ及びグラフィックの記録を生成する統合されたプレイアウトシステムログファイルを含むことができる。
【００３６】
ＡＣＲを使用した一部の実施形態において、プログラムの検出された自動コンテンツ認識を使用して、予想オンスクリーン配信フィードに対するデバイスレベルのタイミングが決定される。プログラムのデバイスレベルのタイミングが決定された状態で、デジタルオンスクリーングラフィックの予想タイミングを使用して、ユーザが販促グラフィックを見たか否かを決定することができる。
【００３７】
ＡＣＲ機能を使用して、提示されたコンテンツ提供物及び／又は販促グラフィックを決定するように一部の実施形態を構成することができるが、一部の実施形態によってコンテンツ及び／又はグラフィックを認識することができるいずれの技術も本明細書で考えられているので、実施形態はこれに制限されない。例えば、コンテンツ提供物及び／又は販促グラフィックの提示は、テレビジョン、セットトップボックス、又はコンピュータデバイスなどにおけるユーザ活動を追跡するように構成されたクリックストリーム情報のようなクリックストリーム情報に基づいて決定することができる。ユーザ活動は、コンテンツ再生デバイスを作動するように構成されたリモートコントロール、キーボード、及び／又はコンピュータデバイス上のキー押しのログなどを通じた当業者に公知の様々な方法を使用して追跡することができる。一部の実施形態により、コンピュータデバイス及び／又はスマートＴＶなどを通じたインターネットプロトコル（ＩＰ）プラットフォームを通じてアクセスされたコンテンツは、コンテンツ販促メッセージ及び／又はコンテンツ構成要素を追跡するためのピクセルベースの追跡アプリケーションを使用することができる。一部の実施形態において、プログラムガイド情報、ＶＯＤ情報、又はコンテンツに関連付けられたメタデータなどを使用することができる。
【００３８】
一部の実施形態において、キャンペーン管理アプリケーションは、標的販促グラフィックに関わるキャンペーンの定義付け、プランニング、及び測定に使用することができる。キャンペーン管理アプリケーションは、広告主及びマーケティング担当者のようなユーザが、過去又は現在の視聴挙動に基づく視聴者標的セグメントの定義、並びに特定の標的グラフィックオーバーレイをプログラム販売促進キャンペーンのようなキャンペーンのためのいずれかの与えられたセグメントに関連付けることを可能にすることができる。キャンペーン管理アプリケーションはまた、デジタルオンスクリーングラフィックを使用する相対的な有効性に関する適時情報を配信し、独立して又は以下に限定されるものではないがオンスクリーン、クロスチャネル、及び支払済みプログラム販促広告、及びデジタル、ソーシャル、及び他の形態の関連のプログラム販売促進を含む他の形態のプログラム販売促進の使用と共にプログラム視聴を推進することができる。一部の実施形態において、キャンペーン管理アプリケーションは、管理アプリケーションと通信状態にある。一部の実施形態において、キャンペーン管理アプリケーションは、管理アプリケーションの構成要素、モジュール、プログラム、又は他の要素である。
【００３９】
例えば、視聴が、デジタルオンスクリーングラフィックに関連付けられたプログラミングの露出を検出する機能に対応するデバイスで行われる時に、一部の実施形態によって説明する方法及びシステムは、以下に限定されるものではないが、リニアテレビジョン視聴における露出、ＶＯＤ及び／又はＰＶＲを通じた時間シフトテレビジョン視聴、移動コンピュータデバイスを使用したオンライン又はストリーミングビデオを含むプログラム視聴を促進するのに使用される様々なデジタルオンスクリーングラフィックと共に使用することができる。リニアテレビジョンプログラミングは本明細書の例に使用することができるが、一部の実施形態に従って作動させることができるコンテンツ提示及び／又は消費のあらゆるタイプが本明細書で考えられているので、実施形態はこれに制限されない。
【００４０】
図１は、一部の実施形態による例示的成果管理システムを示している。図１に示すように、様々なコンテンツ提示デバイス１３０ａ−ｎにコンテンツを配信するようにサービスプロバイダ１０５を構成することができる。例えば、サービスプロバイダ１０５は、テレビジョンプログラム及び広告を加入者セットトップボックス１３０ｄ及び／又はテレビジョン１３０ｅに配信し、及び／又はＶＯＤコンテンツを移動コンピュータデバイス１３０ａ、１３０ｎ及びスマートフォン１３０ｂにストリーミングするように構成されたケーブルテレビジョンプロバイダとすることができる。サービスプロバイダ１０５は、サービスプロバイダコンピュータデバイス１１０ａ−ｎを含むことができ、グラフィック情報、グラフィック提示情報、提示後情報、及び／又は成果情報のうちの１又は２以上を含むことができるサービスプロバイダデータベース１１５と通信状態にある。一部の実施形態において、サービスプロバイダデータベース１１５は、コンテンツデータベース及び／又は視聴者情報のような第三者データベースを含むことができる。
【００４１】
サービスプロバイダ１０５は、広告主のようなコンテンツ発信元と通信状態にある。一部の実施形態において、サービスプロバイダ１０５は、コンテンツ発信元を含むことができ、及び／又はコンテンツ発信元（例えば、サービスプロバイダ１０５のコンテンツを販売促進する場合）とすることができる。コンテンツ発信元は、テレビジョンプログラムのような１次コンテンツ提供物が提示されるコンテンツ提示デバイス１３０ａ−ｎに配信するために販促グラフィック１４０をサービスプロバイダ１０５に送信するか又は他にそれを利用可能にする。
【００４２】
一部の実施形態において、サービスプロバイダ１０５は、広告のキャンペーン情報及び／又は販促キャンペーンに基づいて販促グラフィック１４０を発生及び／又は提供することができる。成果管理システム１２０は、コンテンツプロバイダ１０５と通信することができ、情報を格納する及び／又は本明細書の一部の実施形態に従って説明する機能を実行するように構成されたサーバコンピュータデバイスのような管理システムコンピュータデバイス１２５ａ−ｎを含むことができる。成果管理システム１２０は、図１ではサービスプロバイダ１０５の構成要素であるように示されているが、成果管理システムを別の構成要素とすることができるので、実施形態はこれに制限されない。一部の実施形態において、コンテンツ提示デバイス１３０ａ−ｎは、例えば、管理アプリケーションを実行する成果管理システム１２０を含むことができ、及び／又は管理システム１２０とすることができる。
【００４３】
成果管理システム１２０は、コンテンツ提示デバイス１２０ａ−ｎ及び／又はサービスプロバイダ１０５から受信した及び／又は検出した情報に基づいて、グラフィック提示情報を決定及び／又は受信するように構成することができる。例えば、コンテンツ提示デバイス１２０ａ−ｎ及び／又はサーバデバイス１１０ａ−ｎ、１２５ａ−ｎは、ＡＣＲの使用を通じて及び／又はアクセスされたコンテンツ（例えば、プログラムガイド情報、ＶＯＤ情報、又はコンテンツに関連付けられたメタデータなど）をモニタすることなどにより、提示されているコンテンツを検出するように構成することができる。グラフィック情報は、履歴提示情報、将来の提示情報、関連の１次コンテンツ提供物、標的デバイス、標的視聴者、販促内容、提示頻度、挿入回数、履歴露出率、又は関連付けられた履歴成果情報などのような販促グラフィックに関連付けられた情報を含むことができる。
【００４４】
販促グラフィック１４０は、１又は２以上の回数でコンテンツ提示デバイス１３０ａ−ｎの１又は２以上に提示することができる。管理アプリケーション１２０は。コンテンツ提示デバイス１３０ａ−ｎへの販促グラフィック１４０の提示を示すグラフィック提示情報を受信することができる。グラフィック提示情報はまた、コンテンツ提示デバイス１３０ａ−ｎによってアクセスされた他のコンテンツ提供物、露出特徴（すなわち、露出の頻度、他の販促グラフィックに関する露出の順序）のような提示関連を含むことができる。販促グラフィック１４０への露出後にコンテンツ提示デバイス１３０ａ−ｎの活動をモニタすることによって提示後情報を発生させることができる。提示後情報は、１又は２以上の販促グラフィック１４０の提示に続いてコンテンツ提示デバイス１３０ａ−ｎによってアクセスされたコンテンツ提供物を含むことができる。提示後情報はまた、コンテンツ消費の持続時間及び／又は頻度、コンテンツ消費のジャンル、又は視聴者に関連付けられたデバイスの活動などを含むコンテンツ提示デバイス１３０ａ−ｎ及び／又はサービスプロバイダの活動に関するあらゆる他の情報（すなわち、プログラムラインナップの変更、新しいプログラムの提供物、広告率、又は持続時間、頻度などのような修正）を含むことができる。
【００４５】
管理アプリケーション１２０は、提示後情報に基づいて成果情報及び例えばグラフィック提示情報及び／又はグラフィック情報を発生させることができる。成果情報は、販促グラフィック１４０の有効性を示すことができる。例えば、成果情報は、プログラムＡを販売促進する販促グラフィック１４０にアクセスした視聴者がプログラムＡを見たか否かを示すことができる。別の例では、成果情報は、プログラムＡを販売促進する販促グラフィック１４０に露出された視聴者が実際にプログラムＡを見た、記録した、ストリーミングした、又は他に対話した割合を示すことができる。
【００４６】
図２は、一部の実施形態によるコンテンツ提示デバイスに販促グラフィックを提示する流れ図を示している。図２に示すように、コンテンツ提示デバイス２０５は、１次コンテンツ提供物２４０ａを提示することができる。ＡＣＲ構成要素であるか又はこれを含むことができるコンテンツ検出構成要素は、コンテンツ提示デバイス２０５を通じて提示される特定のコンテンツ２４０ａ及び／又はコンテンツの時点（「コンテンツ提示情報」）を検出することができる。コンテンツ検出構成要素は、コンテンツ提示デバイスに関連付けられたか又はその近くにあるコンテンツ提示デバイス２０５及び／又はコンピュータデバイス（例えば、コンテンツ提示デバイスに隣接したスマートフォン）上で作動させることができる。成果管理システム２１０は、コンテンツ提示デバイス２０５に表示されていることが検出された販促グラフィック２２０に応答してグラフィック提示情報２２５を受信することができる。成果管理システム２１０は、例えば、販促グラフィックを通じて販売促進されるプログラムに関する情報、放送時間、又は頻度情報などを含む販促グラフィック２２０に関連付けられたグラフィック情報２４５にアクセス可能である。管理システム２１０は、データベース２６０にグラフィック情報４５及び／又はグラフィック提示情報２２５を格納することができる。
【００４７】
コンテンツ提示デバイス２０５が販促グラフィック２２０に露出された後（破線Ａによって図示）、コンテンツ提供物２４０ｂ−ｎ及びコンテンツ提示デバイス２０５による他の活動が、提示後情報２３０として得られる。提示後情報２３０は、単独で、又はグラフィック情報２４５、グラフィック提示情報２２５、及び／又は第三者情報のような他の情報と共に管理システム２１０によって使用され、販促グラフィック２２０の成果、有効性、又は他の結果を示す成果情報２５５を発生させることができる。一部の実施形態において、販促内容は、製品又はサービス（すなわち、コンテンツ以外の販促）とすることができ、提示後情報２３０は、製品又はサービス販促内容に関する販売データ又は他の情報を含むことができる。例えば、製品供給業者は、販促グラフィック２２０を使用して販売促進された製品に関する販売情報を管理システム２１０に提供し、成果情報２５５を決定することができる。別の例では、製品供給業者、広告主、又はマーケティング担当者などは、グラフィック情報２４５、グラフィック提示情報２２５にアクセスして、これを使用して製品又はサービスに対する広告キャンペーンの有効性を決定することができる。
【００４８】
一部の実施形態により、成果情報２５５を使用して、コンテンツとのユーザ対話に基づいて販促キャンペーンを適応化することができる。例えば、リアルタイム又は実質的にリアルタイムの情報は、キャンペーンに関連付けられたコンテンツ発信元にユーザが第２の販促グラフィックよりも第１販促グラフィックを好むように反応していることを示すことができる。コンテンツ発信元は、第２の販促グラフィックを修正して第１販促グラフィックのある一定の特徴に適合させる及び／又は第１販促グラフィックの使用を増大して第２の販促グラフィックの使用を低減することができる。
【００４９】
図３は、一部の実施形態による販促グラフィックを提示する例示的方法の流れ図を示している。販促グラフィック情報は、コンテンツ管理システムによってアクセスすることができる３０５。例えば、統合プレイアウトシステムログファイル又は他の情報ファイルをロードして、テレビジョンプログラム販売促進グラフィックに関するメタデータのような関連の情報を抽出することができる。統合プレイアウトシステムログファイルは、テレビジョンネットワークプレイアウトストリームの一部を形成するために合成される全ての個々のビデオ及びグラフィックの記録を発生する及び／又はそれを含むことができる。
【００５０】
成果管理システムは、販促又はグラフィック情報３１０を決定することができる。例えば、管理システムは、関連のテレビジョンプログラム販売促進グラフィックメタデータを使用して、販売促進されるプログラム、並びに露出が起こることがスケジュールされている場所及び時間を決定することができる。例えば、プログラム「Ｘ」を販売促進するテレビジョンプログラム販売促進グラフィック「Ａ」は、「Ｎ」分／秒のスケジュール時間を有するプログラムに「Ｚ」分／秒でプログラム「Ｙ」内で放映されるようにスケジュールされる。成果管理システムは、コンテンツ提示デバイスによる販促グラフィックへの露出を検出することができる３１５。例えば、成果管理システムは、あらゆる個々の有効なコンテンツ提示デバイスにおける関連のプログラムタイミングに対する販促グラフィックのタイミングに関連付けられた１次コンテンツ提供物（すなわち、基本プログラム）の自動コンテンツ認識を使用することができる。一部の実施形態において、テレビジョンネットワークプレイアウトとデバイス視聴ストリームの間に待ち時間がある場合があるが、テレビジョンプログラム販売促進グラフィックの状況的タイミングは、グラフィックがフューチャーされる１次コンテンツ提供物の状況的タイミングに関連付けられる。提示後情報は、検出することができる３２０。一部の実施形態において、成果管理システム及び／又はサービスプロバイダは、提示後活動を検出することができる。一部の実施形態において、コンテンツ提示デバイスは、提示後活動をモニタ及び検出することができ、そのような情報をレポートするか、又は他に情報へのアクセスを可能にすることができる。
【００５１】
成果管理システムは、単独で又は第三者データベースのような様々な他のデータソースと組み合わせて成果情報、グラフィック情報、グラフィック提示情報、及び／又は提示後情報を使用した分析を実行することができる３２５。
【００５２】
販促グラフィック及び／又はその消費、又はあらゆる得られる成果（すなわち、販促コンテンツ提供物の視聴率の変化）に関連する分析を実行することができる３２５。一部の実施形態において、成果管理システム、コンテンツ発信元、サービスプロバイダ、広告主、及び／又はマーケティング担当者は、一連の分析を実行し、販促グラフィックのためのコンテキストを提供し、プログラム視聴への露出及び変換のレベルを評価し、かつ関連のレポートメトリックを発生させることができる。そのような分析は、どのくらい多くのデバイスがいずれかの与えられた販促グラフィック、並びに同じプログラム販売促進キャンペーンに関連付けられたグラフィックに露出されるか、各デバイスがいずれかの与えられたキャンペーンに関連付けられた販促グラフィックに露出された回数及び関連のタイミング、標的販促プログラムの視聴を検出したデバイスが関連のプログラム販売促進キャンペーンのための販促グラフィックに露出された割合、並びに様々なタイプの部分集合に対する対応するプログラム視聴変換レート、各プログラム販売促進キャンペーンのための標的オンスクリーングラフィックへの露出の頻度及びタイミングを含むことができる。追加の分析は、例えばプログラム視聴に対する関連の影響の点から、例えばオリジナル販促形態に対して販促グラフィックを使用する相対的な有効性の比較を含むことができる。
【００５３】
販促グラフィック及び／又は分析に関連するレポートは、例えば、コンテンツ発信元、広告主、マーケティング担当者、及び／又はサービスプロバイダに配信することができる３３０。例えば、販促グラフィックのプログラム視聴又は他のマーケティング（例えば、製品販売）の影響に関連付けられた情報を報告するレポートは、物理的又は電子的手段を通じて配信することができる。
【００５４】
図４は、図１−３に関して上述したモジュール及び／又は処理段階のようなプログラム命令を含有又は実施するために使用することができる例示的内部ハードウエアのブロック図を示している。バス４００は、ハードウエアの他の例示的構成要素を相互接続する主情報ハイウェイとして機能する。ＣＰＵ４０５は、プログラムを実行するのに必要な計算及び論理作動を実行するシステムの中央演算処理装置である。ＣＰＵ４０５は、本発明の開示に使用されるような例示的処理デバイス、コンピュータデバイス又はプロセッサである。読取専用メモリ（ＲＯＭ）４１０及びランダムアクセスメモリ（ＲＡＭ）４１５は、例示的メモリデバイスを構成する。
【００５５】
コントローラ４２０は、１又は２以上の任意的メモリデバイス４２５をシステムバス４００に接続する。これらのメモリデバイス４２５は、例えば、外部又は内部ＤＶＤドライブ、ＣＤ  ＲＯＭドライブ、ハードドライブ、フラッシュメモリ、又はＵＳＢドライブなどを含むことができる。上述のように、これらの様々なドライブ及びコントローラは任意的デバイスである。
【００５６】
プログラム命令、ソフトウエア、又は対話型モジュールは、ＲＯＭ４１０及び／又はＲＡＭ４１５に格納することができる。任意的に、プログラム命令は、コンパクトディスク、デジタルディスク、フラッシュメモリ、メモリカード、ＵＳＢドライブ、Ｂｌｕｅ−ｒａｙ（登録商標）ディスクのような光学ディスクストレージ媒体、及び／又は他の記録媒体のような有形コンピュータ可読媒体に格納することができる。
【００５７】
任意的ディスプレイインタフェース４３０は、音声、視覚、グラフィック、又は英数字フォーマットでバス４００からの情報をディスプレイ４３５に表示させることができる。外部デバイスとの通信は、様々な通信ポート４４０を使用して行うことができる。例示的通信ポート４４０は、インターネット又はイントラネットのような通信ネットワークに取り付けることができる。他の例示的通信ポート４４０は、シリアルポート、ＲＳ−２３２ポート、及びＲＳ−４８５ポートを含むことができる。
【００５８】
ハードウエアはまた、キーボード４５０のような入力デバイス、又はマウス、ジョイスティック、タッチスクリーン、リモートコントロール、ポインティングデバイス、ビデオ入力デバイス、及び／又は音声入力デバイスのような他の入力デバイス４５５からのデータの受信を可能にするインタフェース４４５を含むことができる。
【００５９】
本明細書に上述した機能の全て又は一部を実施するコンピュータプログラム論理部は、限定するわけではないが、ソースコード形態、コンピュータ実行可能形態、及び様々な中間形態（例えば、アセンブラ、コンパイラ、リンカー、又はロケータによって生成される形態）を含む様々な形態に実施することができる。ソースコードは、様々なオペレーティングシステム又はオペレーティング環境と共に使用するために様々なプログラミング言語のいずれか（例えば、オブジェクトコード、アセンブリ言語、又はフォートラン、Ｃ、Ｃ＋＋、ＪＡＶＡ、又はＨＴＭＬのようなハイレベル言語）で実行される一連のコンピュータプログラム命令を含むことができる。ソースコードは、様々なデータ構造及び通信メッセージを定義及び使用することができる。ソースコードは、コンピュータ実行可能形態（例えば、解釈プログラムを通じて）とすることができ、又はソースコードは、コンピュータ実行可能形態に変換することができる（例えば、変換プログラム、アセンブラ、又はコンパイラを通じて）。
【００６０】
コンピュータプログラムは、半導体メモリデバイス（例えば、ＲＡＭ、ＲＯＭ、ＰＲＯＭ、ＥＥＰＲＯＭ、又はフラッシュプログラマブルＲＡＭ）、磁気メモリデバイス（例えば、ディスケット又は固定ディスク）、光学メモリデバイス（例えば、ＣＤ−ＲＯＭ）、ＰＣカード（例えば、ＰＣＭＣＩＡカード）、又は他のメモリデバイスのような有形ストレージ媒体における非一時的形態（例えば、ソースコード形態、コンピュータ実行可能形態、中間形態、又はその組合せ）に固定することができる。コンピュータプログラムは、以下に限定されるものではないが、アナログ技術、デジタル技術、光学技術、無線技術（例えば、Ｂｌｕｅｔｏｏｔｈ）、ネットワーキング技術、及びインターネットワーキング技術を含む様々な通信技術のいずれかを使用してコンピュータに送信可能な信号のあらゆる形態に固定することができる。コンピュータプログラムは、印刷又は電子文書（例えば、収縮包装ソフトウエア）と共に取外可能ストレージ媒体としていずれかの形態で配信されるか、コンピュータシステムを用いてプレロードされるか（例えば、システムＲＯＭ又は固定ディスク上に）、又は通信システム（例えば、インターネット又はワールドワイドウェブ）上でサーバ又は電子掲示板から配信することができる。
【００６１】
上述の機能の全て又は一部を実施するハードウエア論理部（プログラマブル論理デバイスと共に使用するプログラマブル論理部を含む）は、従来の手動方法を使用して設計することができ、又はコンピュータ支援設計（ＣＡＤ）、ハードウエア記述言語（例えば、ＶＨＤＬ又はＡＨＤＬ）、又はＰＬＤプログラミング言語（例えば、ＰＡＬＡＳＭ、ＡＢＥＬ、又はＣＵＰＬ）のような様々なツールを電子的に使用して設計、取得、模擬、又は文書化することができる。
【００６２】
以上の方法及び手順は、本明細書に開示するシステムを使用して又は他のタイプのシステム上で提供することができることは更に認められるであろう。明示的に制限されない限り、本方法及び手順は、本方法の特定の要素を実行する特定のアクション又はシステムを要求するために読み込まれることを意図していない。
【００６３】
以上の明細書において、本発明をその特定の例示的実施形態に関して説明した。しかし、本発明のより広い精神及び範囲から逸脱することなく様々な修正及び変形を本明細書に対して行うことができることは明らかであろう。説明及び図面は、従って、制限の意味ではなく例示的意味に捉えるべきである。
【符号の説明】
【００６４】
１０５  サービスプロバイダ
１１５  サービスプロバイダデータベース
１２０  成果管理システム
１３０ｅ  テレビジョン
１４０  コンテンツ発信元
【図１】
2017525016.tif 000003
【図２】
2017525016.tif 000004
【図３】
2017525016.tif 000005
【図４】
2017525016.tif 000006
【国際調査報告】
2017525016.tif 000007